(57)【特許請求の範囲】
【請求項１】
表示部と、操作部とを有し、ネットワークを介して複数の成形機と接続される表示操作端末装置であって、
前記複数の成形機が関連づけられる複数の接続ボタンが設けられた成形機管理画面を前記表示部に表示する管理画面表示制御部と、
前記接続ボタンに対応した接続操作が前記操作部に入力されたとき、当該接続ボタンに関連づけられている前記成形機と通信可能に接続する接続制御部と、
前記接続制御部によって前記成形機が通信可能に接続されたとき、当該成形機に対応する成形機操作画面を最前面または前記成形機管理画面より後側に重ねて前記表示部に表示する操作画面表示制御部と、を有することを特徴とする表示操作端末装置。
【請求項２】
請求項１に記載の表示操作端末装置において、
前記成形機管理画面に、前記複数の接続ボタンのそれぞれに並べて複数の接続状態表示領域が設けられ、
前記複数の接続ボタンのうちの前記成形機が関連づけられている前記接続ボタンに並ぶ前記接続状態表示領域に、当該接続ボタンに関連づけられている前記成形機の接続状態を表示する接続状態表示制御部をさらに有している表示操作端末装置。
【請求項３】
請求項１または請求項２に記載の表示操作端末装置において、
前記成形機管理画面に、前記複数の接続ボタンのそれぞれに並べて複数の最前面表示ボタンが設けられ、
前記最前面表示ボタンに対応した最前面表示操作が前記操作部に入力された場合に、当該最前面表示ボタンに並ぶ前記接続ボタンに関連づけられた前記成形機に対応する前記成形機操作画面が最前面より後側に表示されているとき、当該成形機操作画面を最前面に表示する最前面表示制御部をさらに有している表示操作端末装置。
【請求項４】
請求項１〜請求項３のいずれか一項に記載の表示操作端末装置と、
前記ネットワークを介して前記表示操作端末装置と接続される複数の成形機と、
を備えたことを特徴とする成形システム。
【請求項５】
表示部と、操作部とを有し、ネットワークを介して複数の成形機と接続される表示操作端末装置が有するコンピュータによって実行されるプログラムであって、
前記コンピュータを、
前記複数の成形機が関連づけられる複数の接続ボタンが設けられた成形機管理画面を前記表示部に表示する管理画面表示制御手段、
前記接続ボタンに対応した接続操作が前記操作部に入力されたとき、当該接続ボタンに関連づけられている前記成形機と通信可能に接続する接続制御手段、および、
前記接続制御手段によって前記成形機が通信可能に接続されたとき、当該成形機に対応する成形機操作画面を最前面または前記成形機管理画面より後側に重ねて前記表示部に表示する操作画面表示制御手段、として機能させることを特徴とするプログラム。
【請求項６】
請求項５に記載のプログラムにおいて、
前記成形機管理画面に、前記複数の接続ボタンのそれぞれに並べて複数の接続状態表示領域が設けられ、
前記コンピュータを、前記複数の接続ボタンのうちの前記成形機が関連づけられている前記接続ボタンに並ぶ前記接続状態表示領域に、当該接続ボタンに関連づけられている前記成形機の接続状態を表示する接続状態表示制御手段としてさらに機能させるプログラム。
【請求項７】
請求項５または請求項６に記載のプログラムにおいて、
前記成形機管理画面に、前記複数の接続ボタンのそれぞれに並べて複数の最前面表示ボタンが設けられ、
前記コンピュータを、前記最前面表示ボタンに対応した最前面表示操作が前記操作部に入力された場合に、当該最前面表示ボタンに並ぶ前記接続ボタンに関連づけられた前記成形機に対応する前記成形機操作画面が最前面より後側に表示されているとき、当該成形機操作画面を最前面に表示する最前面表示制御手段としてさらに機能させるプログラム。
【発明の詳細な説明】
【技術分野】
【０００１】
本発明は、例えば、射出成形機やダイカストマシン等の成形機などを離れた場所から操作するための表示操作端末装置、この表示操作端末装置を備える成形システム、および、表示操作端末装置が有するコンピュータにより実行されるプログラムに関する。
【背景技術】
【０００２】
特許文献１にネットワーク端末からの操作が可能な射出成形機が開示されている。この射出成形機では、そのコントローラ内で実行されるＷＥＢサーバに、同じくコントローラ内で実行されるＷＥＢブラウザでアクセスすることで、射出成形機の表示部に操作画面を表示する。また、タブレット端末やパーソナルコンピュータなどのネットワーク端末において実行されるＷＥＢブラウザによって射出成形機のＷＥＢサーバにアクセスすることで、ネットワーク端末上にも操作画面を表示できる。このようにして、射出成形機はネットワーク端末からの操作を可能にしている。
【０００３】
上述したように、この射出成形機はその内部にＷＥＢサーバが設けられている。そのため、１台のネットワーク端末において複数のＷＥＢブラウザを実行し、各ＷＥＢブラウザから複数の射出成形機のそれぞれに設けられたＷＥＢサーバにアクセスすることにより、１台のネットワーク端末によって複数の射出成形機を操作することができる。
【先行技術文献】
【特許文献】
【０００４】
【特許文献１】特開２０１５−１１６７５７号公報
【発明の概要】
【発明が解決しようとする課題】
【０００５】
しかしながら、上述したネットワーク端末において射出成形機のＷＥＢサーバにアクセスするためには、当該射出成形機のネットワーク上のアドレス（ＵＲＬ）をＷＥＢブラウザに入力してアクセスする必要があるので、アクセスのための操作が煩雑であった。
【０００６】
また、ネットワーク端末では、表示部の大きさの制約から多数のＷＥＢブラウザを同時に視認可能に表示することができず、各ＷＥＢブラウザが表示部上で互いに重ねて配置されていたり最小化されていたりする。そのため、ネットワーク端末と各射出成形機との接続状態を確認しようとすると、全てのＷＥＢブラウザをひとつひとつ視認可能に表示して確認しなければならず、接続状態を確認するための操作が煩雑であった。
【０００７】
また、ネットワーク端末において、ある射出成形機を操作しようとしたときに、操作対象の射出成形機に対応するＷＥＢブラウザを視認可能に表示する場合も、接続状態の確認と同様に操作が煩雑であった。
【０００８】
そこで、本発明は、複数の射出成形機をより容易に操作することができる表示操作端末装置、それを備える成形システム、および、それが有するコンピュータにより実行されるプログラムを提供することを目的とするものである。
【課題を解決するための手段】
【０００９】
上記目的を達成するために、本発明の一態様の表示操作端末装置は、表示部と、操作部とを有し、ネットワークを介して複数の成形機と接続される表示操作端末装置であって、前記複数の成形機が関連づけられる複数の接続ボタンが設けられた成形機管理画面を前記表示部に表示する管理画面表示制御部と、前記接続ボタンに対応した接続操作が前記操作部に入力されたとき、当該接続ボタンに関連づけられている前記成形機と通信可能に接続する接続制御部と、前記接続制御部によって前記成形機が通信可能に接続されたとき、当該成形機に対応する成形機操作画面を最前面または前記成形機管理画面より後側に重ねて前記表示部に表示する操作画面表示制御部と、を有することを特徴とする。
【００１０】
本発明によれば、表示部に表示される成形機管理画面に設けられた複数の接続ボタンには複数の成形機が関連づけられており、接続ボタンに対応する接続操作が操作部に入力されると、この接続ボタンに関連づけられている成形機を通信可能に接続するとともに、この成形機に対応する成形機操作画面を最前面または成形機管理画面より後側に重ねて表示部に表示する。このようにしたことから、成形機管理画面に設けられた接続ボタンに対応する接続操作を入力することで、成形機を通信可能に接続できかつこの成形機に対応する成形機操作画面を表示することができる。成形機操作画面を最前面に表示するようにすれば、通信可能に接続したあとすぐに成形機の操作が可能となり、成形機操作画面を成形機管理画面より後側に表示するようにすれば、成形機管理画面が引き続き最前面に表示されて複数の接続ボタンに対応する接続操作を連続して入力可能となる。
【００１１】
本発明においては、前記成形機管理画面に、前記複数の接続ボタンのそれぞれに並べて複数の接続状態表示領域が設けられ、前記複数の接続ボタンのうちの前記成形機が関連づけられている前記接続ボタンに並ぶ前記接続状態表示領域に、当該接続ボタンに関連づけられている前記成形機の接続状態を表示する接続状態表示制御部をさらに有していることが好ましい。このようにすることで、成形機管理画面に設けられた接続状態表示領域を確認することで複数の成形機の接続状態を同時に確認することができる。
【００１２】
本発明においては、前記成形機管理画面に、前記複数の接続ボタンのそれぞれに並べて複数の最前面表示ボタンが設けられ、前記最前面表示ボタンに対応した最前面表示操作が前記操作部に入力された場合に、当該最前面表示ボタンに並ぶ前記接続ボタンに関連づけられた前記成形機に対応する前記成形機操作画面が最前面より後側に表示されているとき、当該成形機操作画面を最前面に表示する最前面表示制御部をさらに有していることが好ましい。このようにすることで、成形機管理画面に設けられた最前面表示ボタンに対応する最前面表示操作を入力することで、簡易な操作で所望の成形機に対応する成形機操作画面を最前面に表示することができる。
【００１３】
上記目的を達成するために、本発明の他の一態様の成形システムは、上記表示操作端末装置と、前記ネットワークを介して前記表示操作端末装置と接続される複数の成形機と、を備えたことを特徴とする。
【００１４】
本発明によれば、上記表示操作端末装置を備えているので、成形機管理画面に設けられた接続ボタンに対応する接続操作を入力することで、成形機を通信可能に接続できかつこの成形機に対応する成形機操作画面を表示することができる。成形機操作画面を最前面に表示するようにすれば、通信可能に接続したあとすぐに成形機の操作が可能となり、成形機操作画面を成形機管理画面より後側に表示するようにすれば、成形機管理画面が引き続き最前面に表示されて複数の接続ボタンに対応する接続操作を連続して入力可能となる。
【００１５】
上記目的を達成するために、本発明の他の一態様のプログラムは、表示部と、操作部とを有し、ネットワークを介して複数の成形機と接続される表示操作端末装置が有するコンピュータによって実行されるプログラムであって、前記コンピュータを、前記複数の成形機が関連づけられる複数の接続ボタンが設けられた成形機管理画面を前記表示部に表示する管理画面表示制御手段、前記接続ボタンに対応した接続操作が前記操作部に入力されたとき、当該接続ボタンに関連づけられている前記成形機と通信可能に接続する接続制御手段、および、前記接続制御手段によって前記成形機が通信可能に接続されたとき、当該成形機に対応する成形機操作画面を最前面または前記成形機管理画面より後側に重ねて前記表示部に表示する操作画面表示制御手段、として機能させることを特徴とする。
【００１６】
本発明によれば、表示部に表示される成形機管理画面に設けられた複数の接続ボタンには複数の成形機が関連づけられており、接続ボタンに対応する接続操作が操作部に入力されると、この接続ボタンに関連づけられている成形機が通信可能に接続するとともに、この成形機に対応する成形機操作画面を最前面または成形機管理画面より後側に重ねて表示部に表示する。このようにしたことから、成形機管理画面に設けられた接続ボタンに対応する接続操作を入力することで、成形機を通信可能に接続できかつこの成形機に対応する成形機操作画面を表示することができる。成形機操作画面を最前面に表示するようにすれば、通信可能に接続したあとすぐに成形機の操作が可能となり、成形機操作画面を成形機管理画面より後側に表示するようにすれば、成形機管理画面が引き続き最前面に表示されて複数の接続ボタンに対応する接続操作を連続して入力可能となる。
【００１７】
本発明において、前記成形機管理画面に、前記複数の接続ボタンのそれぞれに並べて複数の接続状態表示領域が設けられ、前記コンピュータを、前記複数の接続ボタンのうちの前記成形機が関連づけられている前記接続ボタンに並ぶ前記接続状態表示領域に、当該接続ボタンに関連づけられている前記成形機の接続状態を表示する接続状態表示制御手段としてさらに機能させることが好ましい。このようにすることで、成形機管理画面に設けられた接続状態表示領域を確認することで複数の成形機の接続状態を同時に確認することができる。
【００１８】
本発明において、前記成形機管理画面に、前記複数の接続ボタンのそれぞれに並べて複数の最前面表示ボタンが設けられ、前記コンピュータを、前記最前面表示ボタンに対応した最前面表示操作が前記操作部に入力された場合に、当該最前面表示ボタンに並ぶ前記接続ボタンに関連づけられた前記成形機に対応する前記成形機操作画面が最前面より後側に表示されているとき、当該成形機操作画面を最前面に表示する最前面表示制御手段としてさらに機能させることが好ましい。このようにすることで、成形機管理画面に設けられた最前面表示ボタンに対応する最前面表示操作を入力することで、簡易な操作で所望の成形機に対応する成形機操作画面を最前面に表示することができる。
【発明の効果】
【００１９】
本発明によれば、複数の成形機をより容易に操作することができる。
【図面の簡単な説明】
【００２０】
【図１】本発明の一実施形態に係る成形システムの概略構成を示す図である。
【図２】図１の成形機の概略構成を示す機能ブロック図である。
【図３】図１の表示操作端末装置の概略構成を示す機能ブロック図である。
【図４】図３の表示操作端末装置の表示部に表示される成形機管理ウインドウ（成形機管理画面）の一例を示す図である。
【図５】図４の成形機管理ウインドウに表示される成形機管理セットについて説明する図である。
【図６】図３の表示操作端末装置の表示部に表示される成形機管理ウインドウ（登録画面）の一例を示す図である。
【図７】図６の成形機管理ウインドウに重ねて表示される成形機選択ウインドウの一例を示す図である。
【図８】図３の表示操作端末装置の表示部に表示される成形機管理ウインドウ（設定画面）の一例を示す図である。
【図９】図３の表示操作端末装置の表示部に表示される成形機の表示操作ウインドウ（成形機操作画面）の一例を示す図である。
【図１０】図３の表示操作端末装置において成形機管理プログラム開始時の成形機管理ウインドウの一例を示す図である。
【図１１】図３の表示操作端末装置において１つの成形機と通信可能に接続された状態の一例を示す図である。
【図１２】図３の表示操作端末装置において複数の成形機と通信可能に接続された状態の一例を示す図である。
【図１３】図３の表示操作端末装置において１つの成形機に対応する表示操作ウインドウを最前面に表示した状態の一例を示す図である。
【発明を実施するための形態】
【００２１】
以下、本発明の一実施形態に係る成形システムの構成について、図１〜図９を参照して説明する。
【００２２】
図１は、本発明の一実施形態に係る成形システムの概略構成を示す図である。図２は、図１の成形機の概略構成を示す機能ブロック図である。図３は、図１の表示操作端末装置の概略構成を示す機能ブロック図である。図４は、図３の表示操作端末装置の表示部に表示される成形機管理ウインドウ（成形機管理画面）の一例を示す図である。図５は、図４の成形機管理ウインドウに表示される成形機管理セットについて説明する図である。図６は、図３の表示操作端末装置の表示部に表示される成形機管理ウインドウ（登録画面）の一例を示す図である。図７は、図６の成形機管理ウインドウに重ねて表示される成形機選択ウインドウの一例を示す図である。図８は、図３の表示操作端末装置の表示部に表示される成形機管理ウインドウ（設定画面）の一例を示す図である。図９は、図３の表示操作端末装置の表示部に表示される成形機の表示操作ウインドウ（成形機操作画面）の一例を示す図である。
【００２３】
図１に示すように、成形システムＳは、複数の射出成形機である成形機１〜ｎと、インターネットや工場内ＬＡＮなどのネットワークＮを介して成形機１〜ｎと接続される表示操作端末装置２０と、を備えている。本実施形態では、一例として、表示操作端末装置２０に接続可能な成形機の台数を３２台、実際に接続する成形機の台数を９台（ｎ＝９）としているが、これら台数は任意である。
【００２４】
複数の成形機１〜９は同一の構成を有しており、ここでは、代表として成形機１の構成について説明する。
【００２５】
成形機１は、図２に示すように、成形装置ｍ１と、表示操作装置ｍ２とを有している。成形装置ｍ１は、（１）加熱シリンダ、（２）加熱シリンダ内に回転可能かつ前後進可能に収納されたスクリュー、（３）加熱シリンダの末端側に備えられ、スクリューの溝内に原料樹脂を供給するホッパ、（４）加熱シリンダの先端側に備えられ、金型が設置される型締装置、（５）加熱シリンダを加熱するバンドヒータ、（６）スクリューを回転させる駆動部、（７）スクリューを前後進移動させる駆動部、（８）型締装置において金型の開閉、成形品の突出し（エジェクト）を行うための駆動部、（９）上記（１）〜（８）に含まれる駆動部を駆動するドライバ群、（１０）射出成形に係る各種情報を検出するセンサ群、および（１１）コントローラ、などを有している。
【００２６】
成形装置ｍ１のコントローラは、成形装置ｍ１の全体の動作を司る機能部であり、コンピュータを有して構成されている。このコントローラは、例えば、可塑化動作、射出動作、型開閉動作、エジェクト動作等の成形行程全体の制御や、センサ群の実測値の演算・格納処理、良品／不良品の判定処理、異常判定処理等の演算・判定処理などの射出成形に係る一連の射出成形動作を実行する。
【００２７】
表示操作装置ｍ２は、表示部ｍ２１と、操作部ｍ２２と、通信部ｍ２３と、制御部ｍ２４とを有している。表示部ｍ２１には、成形装置ｍ１で実行される射出成形動作に関連する数値や画像、グラフ等の各種情報、および、成形装置の操作に係るキーボード、テンキー、操作ボタン等の各種操作スイッチ画像などを含む成形機操作画面が表示される。操作部ｍ２２は、表示部ｍ２１に表示された各種操作スイッチ画像に対応した操作が入力される。通信部ｍ２３は、制御部ｍ２４をネットワークＮに接続するネットワークインターフェースを有している。
【００２８】
表示操作装置ｍ２の制御部ｍ２４は、表示操作装置ｍ２の全体の動作を司る機能部であり、コンピュータを有して構成されている。制御部ｍ２４は、表示部ｍ２１に上記成形機操作画面を表示する表示制御処理、および、操作部ｍ２２に入力された操作に応じた動作制御処理等の各種処理を実行する。制御部ｍ２４は、上記表示制御処理において成形装置ｍ１のコントローラから各種情報を受信して成形機操作画面に反映させたり、上記動作制御処理において操作部ｍ２２に入力された操作に応じた動作を実行するための動作実行指令情報を成形装置ｍ１のコントローラに送信したりする。
【００２９】
また、表示操作装置ｍ２の制御部ｍ２４は、通信部ｍ２３によってネットワークＮを介して後述する表示操作端末装置２０と通信可能に接続される。制御部ｍ２４は、表示操作端末装置２０が通信可能に接続されているとき、表示操作端末装置２０に対して成形機操作画面を表示するための表示情報を送信し、かつ、表示操作端末装置２０から受信した当該表示操作端末装置２０に入力された操作情報に応じた動作制御処理を実行する。
【００３０】
すなわち、表示操作装置ｍ２の制御部ｍ２４は、表示操作端末装置２０が通信可能に接続されているとき、表示操作端末装置２０に成形機１の成形機操作画面を表示させるとともに表示操作端末装置２０に入力された操作に応じて動作して、成形機１から離れた場所にある表示操作端末装置２０による表示操作を可能としている。
【００３１】
表示操作端末装置２０は、例えば、タブレット端末やパーソナルコンピュータで構成されている。本実施形態では、表示操作端末装置２０としてタブレット端末を用いている。表示操作端末装置２０は、図３に示すように、表示部２１と、操作部としてのタッチパネル２２と、通信部２３と、制御部２４とを有している。
【００３２】
表示部２１は、例えば、液晶ディスプレイや有機ＥＬディスプレイなどのフラットパネルディスプレイで構成されている。表示部２１は、後述する制御部２４から出力された表示制御情報に基づき、数値や画像、グラフ等の各種情報、および、テキスト領域、キーボード、テンキー、操作ボタン等の各種表示操作アイテムなどを表示する。
【００３３】
タッチパネル２２は、表示部２１の表示面に重ねて配置されている。タッチパネル２２には、オペレータなどの利用者によって接触操作が入力される。ここで、接触操作には、例えば、タップ（指やタッチ操作ペンなどの操作体で比較的短い期間接触する）、ロングタップ（操作体で比較的長い期間接触する）、フリック（操作体を接触して所定方向に短く払う（短くスライドする））、スワイプ（タッチパネルの表面に接触させた操作体を接触させたまま一方向に滑らせつつタッチパネルの表面から離す）およびドラッグ（タッチパネルの表面に接触させた操作体を接触させたまま滑らせる）などがある。
【００３４】
後述する制御部２４は、表示部２１に表示されたキーボード、テンキーおよび操作ボタンなどの操作アイテムをタッチパネル２２と組み合わせることによりソフトウエア的に実現したソフトウエア操作スイッチとして機能させる。以下、タッチパネル２２における表示部２１に表示された操作ボタンに対応する箇所をタップする（すなわち操作ボタンに対応する操作を入力する）ことを、単に「操作ボタンをタップする」という。ドラッグなどの他の操作についても同様である。
【００３５】
通信部２３は、例えば、ＩＥＥＥ８０２．１１に規定される規格を備えた無線通信インターフェースなど、ネットワークＮとの接続するためのインターフェースを有しており、ネットワークＮを介して複数の成形機１〜９と制御部２４とを通信可能に接続する。通信部２３は、無線通信インターフェースに代えて、有線通信インターフェースを有していてもよい。通信部２３は、通信プロトコルとして、例えば、ＴＣＰ／ＩＰを用いて各成形機と通信を行う。
【００３６】
制御部２４は、表示操作端末装置２０の全体の動作を司る機能部であり、ＣＰＵ、ＲＯＭ、ＲＡＭおよび各種インターフェースを備えたコンピュータを有して構成されている。制御部２４は、表示部２１に各種画像を表示する表示制御処理、タッチパネル２２に入力された操作に応じた動作制御処理等の各種処理を実行する。
【００３７】
また、制御部２４は、ネットワークＮを介して成形機１〜９からそれぞれから表示情報を受信して、これら表示情報に基づき成形機１〜９に対応する成形機操作画面Ｇ４を後述する表示操作ウインドウ８０（図９）に含めて表示部２１に表示する。また、制御部２４は、成形機操作画面Ｇが有する操作ボタン８４にタップなどの操作が入力されると、その操作に応じた操作情報を成形機操作画面Ｇ４に対応する成形機に送信する。
【００３８】
制御部２４は、ＣＰＵがＲＯＭに格納された成形機管理プログラムなどの制御プログラムを実行することにより、例えば、管理画面表示制御部、接続制御部、操作画面表示制御部、接続状態表示制御部、最前面表示制御部などの各種機能部として機能する。
【００３９】
制御部２４は、表示操作端末装置２０が有するメニュー画面などから成形機管理プログラムが選択されることにより当該成形機管理プログラムが実行されると、図４に示す成形機管理ウインドウ４０を表示部２１に表示する。
【００４０】
成形機管理ウインドウ４０は、ウインドウ枠４１と、ウインドウ枠４１の内側の表示操作領域４２とを有している。
【００４１】
ウインドウ枠４１は、上部左寄りに配置された画面タイトル４１ａ（「成形機管理」）、上部右隅に配置されたプログラム終了ボタン４１ｂ、および、右縁部に配置されたスクロールバー４１ｃを有している。
【００４２】
表示操作領域４２は、上部左寄りに横方向に並べて配置されたメイン画面選択ボタン４３、登録画面選択ボタン４４および設定ボタン４５を有している。これらボタン４３〜４５は、成形機管理ウインドウ４０内に常に表示されており、制御部２４は、メイン画面選択ボタン４３がタップされると図４に示す成形機管理画面Ｇ１を表示操作領域４２に表示し（管理画面表示制御部、管理画面表示制御手段）、登録画面選択ボタン４４がタップされると図６に示す登録画面Ｇ２を表示操作領域４２に表示し、設定ボタン４５がタップされると図８に示す設定画面Ｇ３を表示操作領域４２に表示する。
【００４３】
図４に示すように、成形機管理画面Ｇ１は、横方向に並べて配置された接続切断ボタン５１、接続状態表示領域５２および最前面表示ボタン５３を含む成形機管理セット５０を複数有している。本実施形態において、成形機管理セット５０は３２個あり、これら３２個の成形機管理セット５０が二列で縦方向に並べて配置されている。図４では、一部の成形機管理セット５０のみ表示されており、画面をスクロールすることで残りの成形機管理セット５０が表示される。
【００４４】
接続切断ボタン５１には成形機が関連づけられており、制御部２４は、接続切断ボタンに関連づけられた成形機の名称を当該接続切断ボタン５１に表示する。そして、接続切断ボタン５１がタップされると、制御部２４は、当該接続切断ボタン５１に関連づけられた成形機との接続状態を確認する。接続状態には「オフライン」、「スタンバイ」および「オンライン」がある。「オフライン」とは、表示操作端末装置２０または成形機がネットワークＮに接続されていない状態である。「スタンバイ」とは、表示操作端末装置２０がネットワークＮに接続されているものの接続切断ボタン５１に関連づけられた成形機との接続が確立されていない状態（すなわち、成形機との間で認証が完了しておらず、表示情報および操作情報を送受信できない状態）である。「オンライン」とは、当該成形機との接続が確立されており通信可能に接続されている状態（すなわち、成形機との間で認証が完了し、表示情報及び操作情報を送受信できる状態）である。
【００４５】
そして、接続状態を確認したのち、（１）制御部２４は、接続状態が「オフライン」であると、表示操作端末装置２０または成形機がネットワークに接続されていない旨の警告メッセージ（図示なし）を表示部２１に表示する。または、（２）制御部２４は、接続状態が「スタンバイ」であると、通信部２３からネットワークＮを通じて成形機との間で接続確立シーケンスを実行して接続を確立させ、接続状態を「オンライン」に移行させる（接続制御部、接続制御手段）。制御部２４は、接続が確立すると、図９に一例を示す成形機の表示操作ウインドウ８０を成形機管理ウインドウ４０の後に表示する（操作画面表示制御部、操作画面表示制御手段）。または、（３）制御部２４は、接続状態が「オンライン」であると、ネットワークＮを通じて成形機との間で接続解除シーケンスを実行して接続を解除し、接続状態を「スタンバイ」に移行させる。
【００４６】
制御部２４は、接続状態表示領域５２に接続状態を表示する（接続状態表示制御部、接続状態表示制御手段）。一例として、接続状態が「オフライン」であると、制御部２４は、図５（ａ）に示すように、接続状態表示領域５２を赤色にするとともに接続状態表示領域５２に「オフライン」の文字を表示する。接続状態が「スタンバイ」であると、制御部２４は、図５（ｂ）に示すように、接続状態表示領域５２を灰色にするとともに接続状態表示領域５２に「スタンバイ」の文字を表示する。接続状態が「オンライン」であると、制御部２４は、図５（ｃ）に示すように、接続状態表示領域５２を緑色にするとともに接続状態表示領域５２に「オンライン」の文字を表示する。制御部２４は、接続切断ボタン５１に成形機が関連づけられていない場合、図５（ｄ）に示すように、接続切断ボタン５１および接続状態表示領域５２を白色とするとともにそれぞれ文字なしで表示する。なお、制御部２４は、接続状態にあわせて、接続切断ボタン５１の色を変えてもよく、例えば、接続切断ボタン５１を接続状態表示領域５２と同じ色で表示するようにしてもよい。
【００４７】
制御部２４は、最前面表示ボタン５３がタップされた場合に、当該最前面表示ボタン５３と同一セットの接続切断ボタン５１に関連づけられた成形機の表示操作ウインドウ８０（後述）が成形機管理ウインドウ４０より後側に重ねて表示されているとき、当該表示操作ウインドウ８０を最前面に表示する（最前面表示制御部、最前面表示制御手段）。
【００４８】
図６に示すように、登録画面Ｇ２は、横方向に並べて配置された成形機情報表示領域５５および成形機選択ボタン５６を含む成形機登録セット５４を複数有している。本実施形態において、成形機登録セット５４は３２個あり、これら３２個の成形機登録セット５４が二列で縦方向に並べて配置されている。各成形機登録セット５４は、上述した成形機管理画面Ｇ１の成形機管理セット５０と一対一に対応している。すなわち、成形機登録セット５４に成形機を登録することで、この成形機が成形機管理セット５０の接続切断ボタン５１に関連づけられる。図６では、一部の成形機登録セット５４のみ表示されており、画面をスクロールすることで残りの成形機登録セット５４が表示される。
【００４９】
制御部２４は、登録されている成形機の名称およびＩＰアドレス（ネットワークＮ上で成形機を特定するための情報）を成形機情報表示領域５５に表示する。
【００５０】
成形機選択ボタン５６がタップされると、図７に示すように、成形機選択ウインドウ６０を表示する。成形機選択ウインドウ６０は、ウインドウ枠６１と、ウインドウ枠６１の内側の表示操作領域６２とを有している。ウインドウ枠６１は、上部左寄りに配置された画面タイトル６１ａ（「名称・ＩＰアドレス」）、上部右隅に配置されたウインドウ終了ボタン６１ｂ、および、右縁部に配置されたスクロールバー６１ｃを有している。
【００５１】
表示操作領域６２は、成形機リスト表示領域６３および決定ボタン６４を有している。制御部２４は、後述する設定画面Ｇ３において編集される登録ファイルに含まれる成形機に係る項目（名称およびＩＰアドレス）を成形機リスト表示領域６３にリスト表示する。制御部２４は、成形機リスト表示領域６３に表示されている項目がタップされると当該項目をハイライト表示し、そのあと決定ボタン６４がタップされるとハイライト表示した項目に対応する成形機を成形機登録セット５４に登録し、成形機選択ウインドウ６０を閉じる。
【００５２】
図８に示すように、設定画面Ｇ３は、登録ファイル編集ボタン７１、言語切替ボタン７２〜７４および終了ボタン７５を有している。制御部２４は、登録ファイル編集ボタン７１がタップされると、図示しない登録ファイル編集ウインドウを表示して、上述した成形機登録セット５４への登録候補となる成形機に係る項目（名称およびＩＰアドレス）を記載する名称・ＩＰアドレス登録ファイルの編集を可能とする。制御部２４は、言語切替ボタン７２〜７４のいずれかがタップされると、タップされた言語切替ボタンに対応する言語表示に切り替える。言語切替ボタン７２〜７４は、順に日本語、英語、韓国語に対応している。制御部２４は、終了ボタン７５がタップされると、成形機管理プログラムを終了して成形機管理ウインドウ４０を閉じる。
【００５３】
図９に表示操作ウインドウ８０の一例を示す。表示操作ウインドウ８０は対応する成形機の成形機操作画面Ｇ４を表示する。表示操作ウインドウ８０は、ウインドウ枠８１と、ウインドウ枠８１の内側の表示操作領域８２とを有している。ウインドウ枠８１は、上部左寄りに配置された画面タイトル８１ａ（「成形機１」）および上部右隅に配置されたウインドウ終了ボタン８１ｂを有している。画面タイトル８１ａには、表示操作ウインドウ８０に対応する成形機の名称が表示される。
【００５４】
表示操作領域８２には、成形機操作画面Ｇ４（射出画面、ハイサイクル画面、型開閉・押出画面、射出位置グラフ画面、中子画面、交換画面、温度画面、半固定値画面など）が表示される。図９には、表示操作領域８２に成形機の射出画面が表示されている状態を例示している。制御部２４は、成形機から表示操作端末装置２０に送信された表示情報に基づいて各種成形機操作画面Ｇ４を表示操作領域８２に表示する。これら表示操作領域８２に表示された成形機操作画面Ｇ４は、成形機の表示操作装置ｍ２の表示部ｍ２１に表示される画面と同一である。各成形機操作画面Ｇ４は複数の情報表示領域８３および複数の操作ボタン８４などを有しており、制御部２４は、情報表示領域８３に各種数値やグラフなどを表示するとともに、操作ボタン８４がタップされると、タップされた操作ボタン８４に応じた操作情報をネットワークＮを介して成形機に送信する。成形機はこの操作情報に基づいて射出成形動作などの各種動作を実行する。これにより、表示操作端末装置２０において、成形機の表示操作装置ｍ２と同じ表示操作を行うことができる。
【００５５】
次に、上述した表示操作端末装置２０の制御部２４の動作の一例について、図１０〜図１３を参照して説明する。
【００５６】
図１０〜図１３は、図３の表示操作端末装置において、成形機管理プログラム開始時の成形機管理ウインドウの一例を示す図、１つの成形機と通信可能に接続された状態の一例を示す図、複数の成形機と通信可能に接続された状態の一例を示す図、および、１つの成形機に対応する表示操作ウインドウを最前面に表示した状態の一例を示す図である。
【００５７】
表示操作端末装置２０の制御部２４は、図１０に示すように、成形機管理プログラムを実行して表示部２１に成形機管理ウインドウ４０を表示する。この状態において、成形機１〜９が、左列の成形機管理セット５０の接続切断ボタン５１に関連づけられており、各接続切断ボタン５１に成形機１〜９の名称が表示されている。また、成形機１〜９の接続状態は「スタンバイ」となっている。
【００５８】
そして、成形機１が関連づけられた接続切断ボタン５１がタップされると、図１１に示すように、制御部２４は、成形機１との接続を確立して接続状態を「オンライン」に移行させ、接続状態表示領域５２に「オンライン」の文字を表示する。さらに、制御部２４は、成形機１の成形機操作画面Ｇ４を含む表示操作ウインドウ８０を成形機管理ウインドウ４０の後に表示する。
【００５９】
続いて、成形機２〜９が関連づけられた接続切断ボタン５１が順にタップされると、図１２に示すように、制御部２４は、成形機２〜９との接続を順に確立して接続状態を「オンライン」に移行させ、各接続状態表示領域５２に「オンライン」の文字を表示する。さらに、制御部２４は、成形機２〜９の成形機操作画面Ｇ４を表示する表示操作ウインドウ８０を成形機管理ウインドウ４０の後に順次表示する。
【００６０】
そして、成形機管理ウインドウ４０が最前面に表示され、その後側に隠れて成形機１〜９に対応する表示操作ウインドウ８０が表示されている状態において、成形機１に関連づけられた接続切断ボタン５１と同一セットの最前面表示ボタン５３がタップされると、図１３に示すように、制御部２４は、成形機１に対応する表示操作ウインドウ８０を最前面に表示する。
【００６１】
以上説明したように、本実施形態の成形システムＳによれば、表示操作端末装置２０の表示部２１に表示される成形機管理画面Ｇ１に設けられた複数の接続切断ボタン５１には複数の成形機１〜９が関連づけられている。そして、接続切断ボタン５１がタップされると、この接続切断ボタン５１に関連づけられている成形機を通信可能に接続するとともに、この成形機に対応する表示操作ウインドウ８０を成形機管理ウインドウ４０より後側に重ねて表示部２１に表示する。このようにしたことから、成形機管理ウインドウ４０の成形機管理画面Ｇ１に設けられた接続切断ボタン５１がタップされることで、成形機を通信可能に接続できかつこの成形機に対応する成形機操作画面Ｇ４を含む表示操作ウインドウ８０を表示することができる。また、成形機操作画面Ｇ４を含む表示操作ウインドウ８０を成形機管理画面Ｇ１を含む成形機管理ウインドウ４０より後側に表示するので、成形機管理画面Ｇ１が引き続き最前面に表示されて複数の接続切断ボタン５１に対応する接続操作を連続して入力可能となる。
【００６２】
また、成形機管理画面Ｇ１に、複数の接続切断ボタン５１のそれぞれに並べて複数の接続状態表示領域５２が設けられ、複数の接続切断ボタン５１のうちの成形機が関連づけられている接続切断ボタン５１に並ぶ接続状態表示領域５２に、当該接続切断ボタン５１に関連づけられている成形機の接続状態を表示する。このようにすることで、成形機管理画面Ｇ１に設けられた接続状態表示領域５２を確認することで複数の成形機の接続状態を同時に確認することができる。
【００６３】
また、成形機管理画面Ｇ１に、複数の接続切断ボタン５１のそれぞれに並べて複数の最前面表示ボタン５３が設けられ、最前面表示ボタン５３がタップされた場合に、当該最前面表示ボタン５３に並ぶ接続切断ボタン５１に関連づけられた成形機に対応する成形機操作画面Ｇ４が最前面より後側に表示されているとき、成形機操作画面Ｇ４を最前面に表示する。これにより、成形機管理画面Ｇ１に設けられた最前面表示ボタン５３がタップすることで、簡易な操作で所望の成形機に対応する成形機操作画面Ｇ４を最前面に表示することができる。
【００６４】
本実施形態によれば、複数の成形機をより容易に操作することができる。
【００６５】
上述した実施形態では、接続切断ボタン５１がタップされると、成形機管理画面Ｇ１の後に成形機操作画面Ｇ４を表示する構成であったが、これに限定されるものではなく、成形機操作画面Ｇ４を最前面に表示するようにしてもよい。このようにすることで、通信可能に接続したあとすぐに成形機の操作が可能となる。
【００６６】
また、上述した実施形態では、成形機操作画面Ｇ４を成形機の表示部ｍ２１および表示操作端末装置２０の表示部２１に表示して、成形機および表示操作端末装置２０の両方において表示操作を可能とする構成であったが、これに限定されるものではない。表示操作端末装置２０が成形機と通信可能に接続されているとき、表示操作端末装置２０においてのみ成形機の表示操作を可能とする構成としてもよい。
【００６７】
また、上述した実施形態では、プラスチックなどの樹脂材料を金型に射出する射出成形機であったが、これに限定するものではない。射出成形機以外にも、例えば、金属材料を金型に圧入するダイカストマシンなど、成形品の材料を金型に注入する成形機であれば、本発明を適用可能である。また、成形機以外の工作機械に本発明を適用してもよい。
【００６８】
上記に本発明の本実施形態を説明したが、本発明はこれらの例に限定されるものではない。前述の実施形態に対して、当業者が適宜、構成要素の追加、削除、設計変更を行ったものや、実施形態の特徴を適宜組み合わせたものも、本発明の要旨を備えている限り、本発明の範囲に含まれる。
【符号の説明】
【００６９】
Ｓ…成形システム、１〜ｎ…成形機、ｍ１…成形装置、ｍ２…表示操作装置、ｍ２１…表示部、ｍ２２…操作部、ｍ２３…通信部、ｍ２４…制御部、２０…表示操作端末装置、２１…表示部、２２…タッチパネル、２３…通信部、２４…制御部（管理画面表示制御部、接続制御部、操作画面表示制御部、接続状態表示制御部、最前面表示制御部、管理画面表示制御手段、接続制御手段、操作画面表示制御手段、接続状態表示制御手段、最前面表示制御手段）、４０…成形機管理ウインドウ、４１…ウインドウ枠、４１ａ…画面タイトル、４１ｂ…プログラム終了ボタン、４１ｃ…スクロールバー、４２…表示操作領域、４３…メイン画面選択ボタン、４４…登録画面選択ボタン、４５…設定ボタン、５０…成形機管理セット、５１…接続切断ボタン（接続ボタン）、５２…接続状態表示領域、５３…最前面表示ボタン、５４…成形機登録セット、５５…成形機情報表示領域、５６…成形機選択ボタン、６０…成形機選択ウインドウ、６１…ウインドウ枠、６１ａ…画面タイトル、６１ｂ…ウインドウ終了ボタン、６１ｃ…スクロールバー、６２…表示操作領域、６３…成形機リスト表示領域、６４…決定ボタン、７１…登録ファイル編集ボタン、７２…言語切替ボタン、７５…終了ボタン、８０…表示操作ウインドウ、８１…ウインドウ枠、８１ａ…画面タイトル、８１ｂ…ウインドウ終了ボタン、８２…表示操作領域、８３…情報表示領域、８４…操作ボタン、Ｇ１…成形機管理画面、Ｇ２…登録画面、Ｇ３…設定画面、Ｇ４…成形機操作画面、Ｎ…ネットワーク。
【図１】
0006676446.tif 000002
【図２】
0006676446.tif 000003
【図３】
0006676446.tif 000004
【図４】
0006676446.tif 000005
【図５】
0006676446.tif 000006
【図６】
0006676446.tif 000007
【図７】
0006676446.tif 000008
【図８】
0006676446.tif 000009
【図９】
0006676446.tif 000010
【図１０】
0006676446.tif 000011
【図１１】
0006676446.tif 000012
【図１２】
0006676446.tif 000013
【図１３】
0006676446.tif 000014